(57)【要約】【課題】電力を効率よく利用して好適な画質の画像を表示することができる技術を提供する。【解決手段】本発明の表示装置は、複数の光源部と、前記複数の光源部から発せられた光を入力画像データに基づいて透過することにより画像を表示する表示手段と、前記複数の光源部のそれぞれについて、前記光源部の駆動時間に対応する駆動値を決定する決定手段と、各光源部の駆動値に基づいて、前記複数の光源部にそれぞれ対応する複数の駆動時間の総和である第１総駆動時間が第１時間よりも長い場合に、前記第１総駆動時間が前記第１時間以下となり、且つ、第２時間よりも長い駆動時間が前記第２時間以下とならないように、各光源部の駆動値を補正する補正手段と、を有する。【選択図】図１
2018163184.tif 000002
【特許請求の範囲】
【請求項１】
複数の光源部と、
前記複数の光源部から発せられた光を入力画像データに基づいて透過することにより画像を表示する表示手段と、
前記複数の光源部のそれぞれについて、前記光源部の駆動時間に対応する駆動値を決定する決定手段と、
各光源部の駆動値に基づいて、前記複数の光源部にそれぞれ対応する複数の駆動時間の総和である第１総駆動時間が第１時間よりも長い場合に、前記第１総駆動時間が前記第１時間以下となり、且つ、第２時間よりも長い駆動時間が前記第２時間以下とならないように、各光源部の駆動値を補正する補正手段と、
を有することを特徴とする表示装置。
【請求項２】
前記決定手段は、前記入力画像データに基づいて各光源部の駆動値を決定する
ことを特徴とする請求項１に記載の表示装置。
【請求項３】
前記補正手段は、第３時間以下の駆動時間に対応する駆動値を補正せずに、前記第３時間よりも長い駆動時間に対応する駆動値を補正する
ことを特徴とする請求項１または２に記載の表示装置。
【請求項４】
前記補正手段は、前記複数の駆動時間のうちの前記第３時間以下の駆動時間の総和である第２総駆動時間を前記第１総駆動時間から減算して得られる第１差分時間が、前記第２総駆動時間を前記第１時間から減算して得られる第２差分時間以下となるように、前記第３時間よりも長い駆動時間に対応する駆動値を補正する
ことを特徴とする請求項３に記載の表示装置。
【請求項５】
前記補正手段は、前記第１総駆動時間と前記第１時間とに基づく時間を、前記第３時間として用いる
ことを特徴とする請求項３または４に記載の表示装置。
【請求項６】
前記補正手段は、前記第１総駆動時間を前記第１時間で除算して得られる時間を、前記第３時間として用いる
ことを特徴とする請求項５に記載の表示装置。
【請求項７】
前記決定手段は、前記第１総駆動時間の最大時間と前記第１時間とに基づく時間を前記駆動時間の下限として用いて、各光源部の駆動値を決定する
ことを特徴とする請求項１〜６のいずれか１項に記載の表示装置。
【請求項８】
前記決定手段は、前記第１総駆動時間の最大時間を前記第１時間で除算して得られる時間を、前記駆動時間の下限として用いる
ことを特徴とする請求項７に記載の表示装置。
【請求項９】
前記補正手段は、前記駆動時間が第４時間以上である光源部が周辺に存在する光源部の駆動時間が前記第２時間以下となることを許容して、各光源部の駆動値を補正する
ことを特徴とする請求項１〜８のいずれか１項に記載の表示装置。
【請求項１０】
前記補正手段は、前記光源部から発せられる光の拡散に基づく時間を、前記第４時間として用いる
ことを特徴とする請求項９に記載の表示装置。
【請求項１１】
複数の光源部と、
前記複数の光源部から発せられた光を入力画像データに基づいて透過することにより画像を表示する表示手段と、
を有する表示装置の制御方法であって、
前記複数の光源部のそれぞれについて、前記光源部の駆動時間に対応する駆動値を決定するステップと、
各光源部の駆動値に基づいて、前記複数の光源部にそれぞれ対応する複数の駆動時間の総和である第１総駆動時間が第１時間よりも長い場合に、前記第１総駆動時間が前記第１時間以下となり、且つ、第２時間よりも長い駆動時間が前記第２時間以下とならないように、各光源部の駆動値を補正するステップと、
を有することを特徴とする表示装置の制御方法。
【請求項１２】
請求項１１に記載の表示装置の制御方法の各ステップをコンピュータに実行させるためのプログラム。
【発明の詳細な説明】
【技術分野】
【０００１】
本発明は、表示装置及びその制御方法に関する。
【背景技術】
【０００２】
画面に表示された画像（表示画像）の輝度の上限の向上と、表示画像のコントラストの向上とが望まれている。液晶表示装置では、バックライトユニットのローカルデミング制御を行うことにより、白色の表示輝度（画面の輝度）を高め、黒色の表示輝度を低減することができる。それにより、表示画像の輝度の上限の向上と、表示画像のコントラストの向上との両方を実現することができる。
【０００３】
しかしながら、バックライトユニットの発光輝度を高めると、表示輝度を高めることができるものの、バックライトユニットの消費電力が増す。特に、画面の領域全体に対してバックライトユニットの発光輝度を高めると、バックライトユニットの消費電力が大幅に増す。そして、電力（電源が液晶表示装置に出力可能な電力、液晶表示装置に入力可能な電力、等）には上限があり、バックライトユニットの発光輝度を高めることで、液晶表示装置に必要な電力が上限を超えることがある。液晶表示装置に必要な電力が上限を超えると、電源、液晶表示装置の電源回路、等を保護するために、画面が突然暗くなったり、画像が突然表示されなくなったりする。
【０００４】
表示装置に必要な電力が上限を超えるのを防ぐ技術は、例えば、特許文献１に開示されている。特許文献１に開示の技術では、画像データに基づいて表示装置の消費電力が推定され、推定された消費電力が閾値より大きい場合に、推定された消費電力が閾値以下となるように画像データが補正される。
【先行技術文献】
【特許文献】
【０００５】
【特許文献１】特開２００６−１１９４６５号公報
【発明の概要】
【発明が解決しようとする課題】
【０００６】
しかしながら、バックライトユニットが複数の光源（発光素子）を有する場合には、複数の光源の間で発光効率（光源の発光効率）がばらつくことがある。発光効率のばらつきは、例えば、光源の製造時に生じる。具体的には、製造時の誤差によって、光源の印加電圧のばらつきが生じる。その結果、発光効率のばらつきが生じる。発光効率は、光源の温度変化、光源の経年劣化、等によって変化する。そのため、発光効率のばらつきは、光源の温度変化、光源の経年劣化、等によっても生じる。
【０００７】
そして、発光効率のばらつきが生じる場合には、各光源の発光輝度を目標輝度（発光輝度の目標）へ制御するために、各光源の発光効率を考慮する必要がある。液晶表示装置の消費電力は、バックライトユニット（光源）を駆動する駆動値に依存する。そして、各光源の発光効率を考慮して駆動値が決定される場合には、駆動値は変化し得る。
【０００８】
そのため、画像データのみから消費電力を推定する方法では、消費電力を高精度に推定できないことがある。即ち、特許文献１に開示の技術では、消費電力を高精度に推定できないことがある。そして、特許文献１に開示の技術では、表示装置に必要な電力が上限を超えるのを確実に防ぐために、上限よりも或る程度小さい電力を閾値として使用する必要がある。そのため、特許文献１に開示の技術では、電力を効率よく利用した表示（表示装
置の性能や電源の性能を十分に利用した表示）が行えないことがある。
【０００９】
また、表示装置に必要な電力が上限を超えるのを防ぐために駆動値を低減すると、低減前の駆動値が０に近い場合に、低減後の駆動値として０が得られ、光源が消灯することがある。そして、低減後の駆動値として０が得られると、光源が消灯した領域（画面の領域）において黒潰れが生じ、画像データの階調を表現することができない（表示画像の画質の劣化）。
【００１０】
そこで、本発明は、電力を効率よく利用して好適な画質の画像を表示することができる技術を提供することを目的とする。
【課題を解決するための手段】
【００１１】
本発明の第１の態様は、
複数の光源部と、
前記複数の光源部から発せられた光を入力画像データに基づいて透過することにより画像を表示する表示手段と、
前記複数の光源部のそれぞれについて、前記光源部の駆動時間に対応する駆動値を決定する決定手段と、
各光源部の駆動値に基づいて、前記複数の光源部にそれぞれ対応する複数の駆動時間の総和である第１総駆動時間が第１時間よりも長い場合に、前記第１総駆動時間が前記第１時間以下となり、且つ、第２時間よりも長い駆動時間が前記第２時間以下とならないように、各光源部の駆動値を補正する補正手段と、
を有することを特徴とする表示装置である。
【００１２】
本発明の第２の態様は、
複数の光源部と、
前記複数の光源部から発せられた光を入力画像データに基づいて透過することにより画像を表示する表示手段と、
を有する表示装置の制御方法であって、
前記複数の光源部のそれぞれについて、前記光源部の駆動時間に対応する駆動値を決定するステップと、
各光源部の駆動値に基づいて、前記複数の光源部にそれぞれ対応する複数の駆動時間の総和である第１総駆動時間が第１時間よりも長い場合に、前記第１総駆動時間が前記第１時間以下となり、且つ、第２時間よりも長い駆動時間が前記第２時間以下とならないように、各光源部の駆動値を補正するステップと、
を有することを特徴とする表示装置の制御方法である。
【００１３】
本発明の第３の態様は、上述した表示装置の制御方法の各ステップをコンピュータに実行させるためのプログラムである。
【発明の効果】
【００１４】
本発明によれば、電力を効率よく利用して好適な画質の画像を表示することができる。
【図面の簡単な説明】
【００１５】
【図１】実施例１に係る表示装置の構成例を示すブロック図
【図２】実施例１に係る入力画像データと特徴量の一例を示す図
【図３】実施例１に係る特徴量、基準輝度、及び、目標輝度の一例を示す図
【図４】実施例１に係る発光輝度と駆動値の一例を示す図
【図５】実施例１に係る補正後の駆動値の一例を示す図
【図６】実施例２に係る表示装置の構成例を示すブロック図
【図７】実施例２に係る駆動値の一例を示す図
【発明を実施するための形態】
【００１６】
＜実施例１＞
以下、本発明の実施例１について説明する。なお、以下では、本実施例に係る表示装置が透過型の液晶表示装置である場合の例を説明するが、本実施例に係る表示装置は液晶表示装置に限らない。本実施例に係る表示装置は、発光部と、発光部からの光を入力画像データに基づいて透過することにより画像を表示する表示部と、を有する表示装置であればよい。例えば、本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。
【００１７】
図１は、本実施例に係る表示装置１の構成例を示すブロック図である。表示装置１は、液晶パネル部２、バックライトユニット３、特徴量取得部４、ＢＬ基準輝度決定部５、ＢＬ輝度決定部６、入射輝度推定部７、画像補正値決定部８、画像補正部９、及び、駆動時間決定部１０を有する。また、表示装置１は、第１総駆動時間決定部１１、短駆動光源検出部１２、時間補正値決定部１３、第２総駆動時間決定部１４、駆動時間補正部１５、ＢＬ輝度検出部１６、第２補正値決定部１７、及び、第１補正値記憶部１８を有する。
【００１８】
液晶パネル部２は、バックライトユニット３から発せられた光を入力画像データに基づいて透過することにより画像を表示する。本実施例では、液晶パネル部２は、液晶ドライバ、コントロール基板、及び、液晶パネルを有する。液晶パネルは、複数の液晶素子を有する。コントロール基板は、液晶パネル部２に入力された画像データに応じて液晶ドライバに指示を出力することにより、液晶ドライバの処理を制御する。液晶ドライバは、コントロール基板から出力された上記指示に応じて、液晶パネルの各液晶素子を駆動する。それにより、各液晶素子の透過率が、液晶パネル部２に入力された画像データに応じた値に制御される。バックライトユニット３から発せられた光が各液晶素子を透過することにより、画面に画像が表示される。
【００１９】
バックライトユニット３は、複数の光源部を有する。各光源部は、１つ以上の発光素子（光源）を有する。発光素子としては、発光ダイオード（ＬＥＤ）、有機ＥＬ素子、冷陰極管、等を使用することができる。本実施例では、バックライトユニット３は、複数の光源部、各光源部の発光を制御する制御回路、及び、各光源部から発せられた光を拡散させる光学ユニットを有する。バックライトユニット３は、例えば、水平方向ｍ個×垂直方向ｎ個の光源部を有する（ｍとｎは自然数）。本実施例では、バックライトユニット３は、水平方向１０個×垂直方向６個の光源部を有する。また、本実施例では、各光源部は、白色の光を発する発光素子を有する。なお、複数の光源部の配置はマトリクス状の配置に限られない。例えば、複数の光源部が千鳥格子状に配置されていてもよい。
【００２０】
本実施例では、複数の光源部が、画面を構成する複数の分割領域にそれぞれ対応付けられている。特徴量取得部４は、複数の光源部のそれぞれについて、その光源部の分割領域に対応する画像領域（分割領域に表示される画像領域）における特徴量を、入力画像データから取得する。そして、特徴量取得部４は、各光源部に対して取得した特徴量を、ＢＬ基準輝度決定部５へ通知（出力）する。本実施例では、特徴量取得部４は、分割領域に対応する画像領域における階調値の最大値を、当該分割領域の光源部に対する特徴量として取得する。
【００２１】
ここで、各画素値がＲＧＢ値（赤色の階調値であるＲ値、緑色の階調値であるＧ値、及び、青色の階調値であるＢ値の組み合わせ）であるＲＧＢ画像データが入力画像データとして取得される場合を考える。この場合には、最大Ｒ値（Ｒ値の最大値）が特徴量として
取得されてもよいし、最大Ｇ値（Ｇ値の最大値）が特徴量として取得されてもよいし、最大Ｂ値（Ｂ値の最大値）が特徴量として取得されてもよい。最大Ｒ値、最大Ｇ値、及び、最大Ｂ値のうちの最大値が、特徴量として取得されてもよい。各画素についてＲＧＢ値からＹ値（輝度値）が算出されてもよい。そして、Ｙ値の最大値が特徴量として取得されてもよい。
【００２２】
特徴量取得部４の処理の具体例を、図２（Ａ），２（Ｂ）を用いて説明する。図２（Ａ）は、入力画像データの一例を示す。図２（Ａ）は、入力画像データの階調値が１０ビットの値（０〜１０２３）である場合の例を示す。図２（Ａ）では、階調値が大きいほど（輝度が高いほど）白色に近く、且つ、階調値が小さいほど（輝度が低いほど）黒色に近い色で、階調値が示されている。図２（Ａ）において、白色は階調値１０２３に対応し、黒色は階調値０に対応する。図２（Ａ）の入力画像データにおいて、中央に存在するオブジェクト（四角形のオブジェクト）の階調値は１０２３であり、背景の階調値は１である。
【００２３】
図２（Ｂ）は、各分割領域（各光源部）に対して取得された特徴量の一例を示す。図２（Ｂ）は、図２（Ａ）の入力画像データから取得された特徴量を示す。図２（Ｂ）において、水平方向に並んだ数値（１〜１０）は、分割領域の水平位置（水平方向における位置）を示し、垂直方向に並んだ数値（１〜６）は、分割領域の垂直位置（垂直方向における位置）を示す。図２（Ｂ）に示すように、オブジェクトの少なくとも一部を含む分割領域では、特徴量（階調値の最大値；最大階調値）として１０２３が取得されている。そして、オブジェクトを含まない分割領域では、特徴量として１が取得されている。
【００２４】
なお、光源部に対応する領域（対応領域）は、上記分割領域に限られない。対応領域は他の対応領域から離れていてもよいし、対応領域の少なくとも一部が他の対応領域の少なくとも一部に重なっていてもよい。対応領域と光源部の対応関係は、１対１の対応関係でなくてもよい。例えば、１つの対応領域に対して２つ以上の光源部が対応付けられていてもよい。対応領域は、画面の一部であってもよいし、画面全体であってもよい。
【００２５】
図２には四角形の分割領域が示されているが、対応領域の形状は四角形に限られない。例えば、対応領域の形状は、円形、三角形、五角形、六角形、等であってもよい。図２には、マトリクス状に配置された複数の分割領域が示されているが、複数の対応領域の配置はマトリクス状の配置に限られない。例えば、複数の対応領域が千鳥格子状に配置されていてもよい。
【００２６】
入力画像データはＲＧＢ画像データに限られない。例えば、各画素値がＹＣｂＣｒ値（輝度値であるＹ値、色差値であるＣｂ値、及び、色差値であるＣｒ値の組み合わせ）であるＹＣｂＣｒ画像データが、入力画像データとして取得されてもよい。特徴量は最大階調値に限られない。例えば、特徴量として、階調値の他の代表値（最小値、平均値、中間値、最頻値、等）、階調値のヒストグラム、等が取得されてもよい。複数の光源部の間で共通の特徴量が取得されてもよい。例えば、複数の光源部の間で共通の特徴量として、入力画像データ全体に対応する特徴量が取得されてもよい。
【００２７】
ＢＬ基準輝度決定部５は、複数の光源部のそれぞれについて、その光源部の発光輝度（発光量）の基準である基準輝度を決定する。そして、ＢＬ基準輝度決定部５は、各光源部の基準輝度をＢＬ輝度決定部６へ通知する。本実施例では、ＢＬ基準輝度決定部５は、複数の光源部のそれぞれについて、その光源部に対して取得された特徴量に応じて、当該光源部の基準輝度を決定する。
【００２８】
本実施例では、図３（Ａ）の対応関係を示すルック・アップ・テーブル（ＬＵＴ）が予め用意されている。図３（Ａ）の対応関係は、特徴量と基準輝度との対応関係である。図
３（Ａ）の横軸は特徴量を示し、図３（Ａ）の縦軸は基準輝度を示す。基準輝度（発光輝度）０［％］は、光源部が消灯している状態に対応し、基準輝度１００［％］は、上限の発光輝度で光源部が発光している状態に対応する。ＢＬ基準輝度決定部５は、上記ＬＵＴを用いて、特徴量から基準輝度を決定する。図２（Ｂ）の特徴量が取得された場合には、図３（Ａ）の対応関係から、図３（Ｂ）の基準輝度が決定される。
【００２９】
なお、基準輝度の決定方法は上記方法に限られない。例えば、ＬＵＴの代わりに、特徴量と基準輝度との対応関係を示す関数が使用されてもよい。特徴量と基準輝度との対応関係は図３（Ａ）の対応関係に限られない。特徴量と基準輝度との対応関係は特に限定されない。基準輝度の値として、予め定められた固定値が使用されてもよい。
【００３０】
ＢＬ輝度決定部６は、複数の光源部のそれぞれについて、その光源部の発光輝度の目標である目標輝度を決定する。即ち、ＢＬ輝度決定部６は、各光源部の目標輝度を個別に決定する。そして、ＢＬ輝度決定部６は、各光源部の目標輝度を、入射輝度推定部７と駆動時間決定部１０へ通知する。本実施例では、ＢＬ輝度決定部６は、複数の光源部のそれぞれについて、その光源部に対して決定された基準輝度と、ユーザによって指定された輝度（ユーザ指定輝度）とに基づいて、当該光源部の目標輝度を決定する。ユーザは、例えば、画面に表示された設定画像を用いた操作を行うことにより、ユーザ指定輝度として使用される表示輝度（画面の輝度）を指定する。本実施例では、表示輝度の上限（階調値の上限に対応する表示輝度）がユーザ指定輝度として指定される。なお、ユーザ指定輝度は、表示輝度の上限に限られない。例えば、ユーザ指定輝度は、階調値の上限よりも小さい他の階調値に対応する表示輝度であってもよい。また、目標輝度の決定方法は特に限定されない。例えば、基準輝度が目標輝度として使用されてもよい。
【００３１】
目標輝度は、例えば、以下の式１を用いて算出される。式１において、「上限透過率」は、液晶パネルの透過率の上限である。
目標輝度＝（ユーザ指定輝度÷上限透過率）×基準輝度  ・・・（式１）
【００３２】
上限透過率は特に限定されないが、上限透過率が１０［％］である場合を考える。そして、ユーザ指定輝度が２００［ｃｄ／ｍ２］であり、且つ、基準輝度が１００［％］である場合を考える。この場合には、式１を用いて、目標輝度２０００［ｃｄ／ｍ２］が得られる。上限透過率が１０［％］であり、且つ、ユーザ指定輝度が１０００［ｃｄ／ｍ２］であり、且つ、基準輝度が１００［％］である場合を考える。この場合には、式１を用いて、目標輝度１００００［ｃｄ／ｍ２］が得られる。
【００３３】
ここで、光源部からの光が、当該光源部に対応する分割領域の周辺へ漏れる場合を考える。例えば、液晶パネルに対向する位置に複数の光源部が配置された直下型のバックライトユニットにおいて、上記漏れが生じる。この場合には、上記漏れを考慮して目標輝度を決定することが好ましい。上記漏れ（分割領域間における光（光源部からの光）の漏れ）を考慮して目標輝度を決定する方法としては、これまでに提案された種々の方法を用いることができる。例えば、上記漏れを考慮して目標輝度を決定する方法は、特開２０１４−４４３０２号公報に開示されている。特開２０１４−４４３０２号公報に開示の方法を用いた場合の具体例を、以下に説明する。
【００３４】
まず、基準輝度１００［％］の光源部の目標輝度が１００［ｃｄ／ｍ２］となり、且つ、目標輝度が基準輝度に比例するように、各光源部の目標輝度が仮決定される。その後、複数の分割領域のそれぞれについて、バックライトユニット３（複数の光源部）から発せられた光の入射輝度（液晶パネルへの入射時における輝度）が、上記漏れを考慮して推定
される。そして、推定された入射輝度が必要輝度（例えば、式１から得られる目標輝度）よりも低い分割領域が存在する場合には、全ての分割領域において入射輝度が必要輝度以上となるように、各光源部の目標輝度が同じ増加率で高められる。
【００３５】
本実施例では、複数の分割領域のそれぞれについて、入射輝度の推定の対象である推定位置が予め定められている。推定位置は特に限定されないが、例えば、複数の分割領域のそれぞれについて、その分割領域の中心位置が推定位置として予め定められている。そのため、光源部と推定位置の組み合わせは、複数存在する。そして、複数の上記組み合わせのそれぞれについて、減衰係数が予め定められている。減衰係数は、その減衰係数に対応する光源部から発せられた光の、当該減衰係数に対応する推定位置に到達するまでの減衰の度合いである。
【００３６】
本実施例では、複数の推定位置のそれぞれについて、以下の処理が行われる。それにより、複数の分割領域にそれぞれ対応する複数の入射輝度が推定される。まず、処理対象の推定位置に対応する減衰係数を目標輝度に乗算する処理が、各光源部について行われる。次に、各光源部に対して得られた乗算結果の総和が、所定対象の推定位置における入射輝度として算出される。
【００３７】
図３（Ｃ）は、上記方法によって決定された目標輝度の一例を示す。図３（Ｃ）は、上限透過率が１００［％］であり、且つ、ユーザ指定輝度が１０００［ｃｄ／ｍ２］である場合を示す。図３（Ｃ）では、図３（Ｂ）で基準輝度が１００［％］である分割領域に対して、ユーザ指定輝度１０００［ｃｄ／ｍ２］よりも低い目標輝度５００［ｃｄ／ｍ２］が対応付けられている。これは、上記分割領域の周辺から合計で５００［ｃｄ／ｍ２］以上の輝度の光が漏れくるからである。周辺からの光の漏れは、他の分割領域でも生じる。そのため、図３（Ｃ）では、他の分割領域に対しても、ユーザ指定輝度１０００［ｃｄ／ｍ２］に図３（Ｂ）の基準輝度を乗算することで得られる輝度（式１から得られる目標輝度）よりも低い目標輝度が対応付けられている。
【００３８】
入射輝度推定部７は、各光源部の目標輝度に基づいて、複数の推定位置にそれぞれに対応する複数の入射輝度を推定する。そして、入射輝度推定部７は、各推定位置の入射輝度を画像補正値決定部８へ通知する。入射輝度の推定方法は上述したとおりである。上述したように、分割領域の形状は特に限定されない。また、推定位置も特に限定されない。本実施例では、各分割領域の形状が四角形である。そして、本実施例では、入射輝度推定部７は、各分割領域の四隅の位置、各分割領域の各辺の中心位置、及び、各分割領域の中心位置である複数の位置のそれぞれを、推定位置として使用する。
【００３９】
画像補正値決定部８は、入射輝度推定部７で使用された複数の推定位置のそれぞれについて、推定された入射輝度に基づいて、入力画像データを補正する画像補正値を決定する。そして、画像補正値決定部８は、各推定位置の画像補正値を画像補正部９へ出力する。表示装置には、「入力画像データに応じた輝度を正確に表示したい」というニーズがある。入射輝度が所定の輝度から変化すると、表示輝度も変化する。そのため、例えば、所定の輝度からの入射輝度の変化に対応する表示輝度の変化を低減する値が、画像補正値として決定される。本実施例では、以下の式２を用いて、入力画像データの階調値に乗算されるゲイン値である補正係数Ｇｐｎが、画像補正値として算出される。式２において、「Ｌｔ」は、上記所定の輝度であり、「Ｌｐｎ」は、推定された入射輝度である。所定の輝度Ｌｔは、例えば、ユーザ指定輝度に比例する輝度である。なお、画像補正値はゲイン値に限られない。例えば、画像補正値として、入力画像データの階調値に加算されるオフセット値が決定されてもよい。
Ｇｐｎ＝Ｌｔ／Ｌｐｎ  ・・・（式２）
【００４０】
画像補正部９は、画像補正値決定部８によって決定された画像補正値を用いて入力画像データの各階調値を補正することにより、処理画像データを生成する。そして、画像補正部９は、処理画像データを液晶パネル部２へ出力する。具体的には、入射輝度推定部７で使用された推定位置については、画像補正値決定部８によって決定された補正係数Ｇｐｎが入力画像データの階調値に乗算される。入射輝度推定部７で使用された推定位置とは異なる位置については、当該位置の周辺の複数の推定位置に対して決定された複数の補正係数Ｇｐｎを用いた補間処理により、補正係数が決定される。そして、決定された補間係数が入力画像データの階調値に乗算される。
【００４１】
駆動時間決定部１０は、複数の光源部のそれぞれについて、光源部の駆動時間（点灯時間）に対応する駆動値を決定する駆動値決定処理を行う。本実施例では、入力画像データに基づいて各光源部の駆動値が決定される。具体的には、駆動値決定処理として、「目標輝度に基づいて駆動値を決定する処理」が行われる。本実施例では、駆動値として、光源部の発光輝度を目標輝度へ制御する値が得られる。駆動値決定処理は、「駆動時間を決定する処理」とも言える。駆動時間決定部１０は、決定した駆動値を、第１総駆動時間決定部１１、短駆動光源検出部１２、第２総駆動時間決定部１４、及び、駆動時間補正部１５へ通知する。
【００４２】
本実施例では、駆動時間決定部１０は、各光源部の発光効率を考慮して各光源部の駆動値を決定する。具体的には、駆動値決定処理として、「以下の３つの要素１〜３に基づいて駆動値を決定する処理」が行われる。
要素１：光源部の目標輝度
要素２：光源部の発光効率が基準の発光効率である場合における、光源部の発光輝度と光源部の駆動値との対応関係
要素３：光源部の発光効率と基準の発光効率との間の差
【００４３】
「光源部の発光効率が基準の発光効率である場合における、光源部の発光輝度と光源部の駆動値との対応関係」は、「光源部の発光効率が基準の発光効率である場合における、光源部の発光輝度と光源部の駆動時間との対応関係」とも言える。この対応関係は特に限定されないが、本実施例では、図４（Ａ）の対応関係が使用される。図４（Ａ）の横軸は、光源部の発光輝度を示し、図４（Ａ）の縦軸は、光源部の駆動値を示す。図４（Ａ）の太実線は、光源部の発光効率が基準の発光効率である場合の対応関係を示す。図４（Ａ）は、駆動時間が長いほど大きい１４ビットの値（０〜１６３８３）が駆動値として使用される場合の例を示す。駆動値＝１６３８３は、１フレームの期間において光源部が点灯し続ける状態に対応する。実際には、光源ドライバ（各光源部の発光を制御する制御回路）のリセット期間が必要である。そのため、１フレームの期間の長さが１６．６［ｍｓｅｃ］である場合には、駆動値＝１６３８３は１６．６［ｍｓｅｃ］以下の時間に対応する。
【００４４】
「光源部の発光効率と基準の発光効率との間の差」として、以下の３つの差１〜３が存在し得る。本実施例では、差１〜３の全てが考慮される。なお、差１〜３の少なくともいずれかが考慮されなくてもよい。例えば、差１のみが考慮されてもよいし、差２，３のみが考慮されてもよいし、差１〜３が考慮されなくてもよい。
差１：光源部の製造時に生じた差
差２：光源部の温度変化に起因して生じた差
差３：光源部の経年劣化に起因して生じた差
【００４５】
本実施例では、上記差１に起因した輝度変化（目標輝度からの発光輝度の変化）を低減する第１補正値Ｃｈ（ｘ，ｙ）が、第１補正値記憶部１８に予め記録されている。第１補正値Ｃｈ（ｘ，ｙ）は、位置（水平位置，垂直位置）＝（ｘ，ｙ）の光源部の補正値である。また、本実施例では、上記差２，３に起因した輝度変化（目標輝度からの発光輝度の変化）を低減する第２補正値Ｃｄ（ｘ，ｙ）が、第２補正値決定部１７によって決定される。第２補正値Ｃｄ（ｘ，ｙ）は、位置（ｘ，ｙ）の光源部の補正値である。
【００４６】
本実施例では、駆動時間決定部１０は、図４（Ａ）の対応関係（図４（Ａ）の対応関係を示すＬＵＴ、図４（Ａ）の対応関係を示す関数、等）から、光源部の目標輝度Ｌｗ（ｘ，ｙ）に対応する駆動値ｆ（Ｌｗ（ｘ，ｙ））を取得する。また、駆動時間決定部１０は、第１補正値Ｃｈ（ｘ，ｙ）を第１補正値記憶部１８から取得し、第２補正値Ｃｄ（ｘ，ｙ）を第２補正値決定部１７から取得する。そして、駆動時間決定部１０は、以下の式４を用いて、駆動値ｆ（Ｌｗ（ｘ，ｙ））、第１補正値Ｃｈ（ｘ，ｙ）、及び、第２補正値Ｃｄ（ｘ，ｙ）から、光源部の駆動値Ｄｒｗ（ｘ，ｙ）を算出して通知する。このような処理が、各光源部について個別に行われる。図４（Ｂ）は、上記方法によって図３（Ｃ）の目標輝度から決定された駆動値を示す。
Ｄｒｗ（ｘ，ｙ）＝ｆ（Ｌｗ（ｘ，ｙ））×Ｃｈ（ｘ，ｙ）×Ｃｄ（ｘ，ｙ）
・・・（式３）
【００４７】
第１総駆動時間決定部１１は、複数の光源部にそれぞれ対応する複数の駆動値（駆動時間決定部１０によって決定された駆動値）の総和である第１総駆動値を決定する。図４（Ｂ）の駆動値からは、第１総駆動値として１３１１１６が得られる。第１総駆動値は、複数の光源部にそれぞれ対応する複数の駆動時間の総和である第１総駆動時間に対応する。そして、第１総駆動時間決定部１１は、第１総駆動値を時間補正値決定部１３へ通知する。
【００４８】
短駆動光源検出部１２は、駆動時間決定部１０によって決定された駆動値が短駆動閾値以下である光源部（短駆動光源部）を、複数の光源部から検出する。短駆動光源部は、「短駆動閾値時間以下の駆動時間に対応する駆動値が駆動時間決定部１０によって決定された光源部」とも言える。短駆動閾値時間は、短駆動閾値に対応する駆動時間である。そして、短駆動光源検出部１２は、短駆動光源部の検出結果を駆動時間補正部１５へ通知する。短駆動閾値は特に限定されないが、本実施例では、短駆動閾値は３である。図４（Ｂ）の駆動値が得られた場合には、駆動値が１である４４個の光源部のそれぞれが、短駆動光源として検出される。
【００４９】
第２総駆動時間決定部１４は、複数の光源部から短駆動光源部を検出し、短駆動光源部の駆動値（駆動時間決定部１０によって決定された駆動値）の総和である第２総駆動値を決定する。図４（Ｂ）の駆動値からは、第２総駆動値として４４が得られる。第２総駆動値は、複数の光源部にそれぞれ対応する複数の駆動時間のうちの短駆動閾値時間以下の駆動時間の総和である第２総駆動時間に対応する。そして、第２総駆動時間決定部１４は、第２総駆動値を時間補正値決定部１３へ通知する。
【００５０】
なお、短駆動光源部の検出は、短駆動光源検出部１２と第２総駆動時間決定部１４の一方でのみ行われてもよい。例えば、短駆動光源検出部１２が短駆動光源部の検出を行い、短駆動光源検出部１２の処理結果（光源部の検出結果）を第２総駆動時間決定部１４が使用してもよい。
【００５１】
時間補正値決定部１３は、第１総駆動時間決定部１１によって決定された第１総駆動値、第２総駆動時間決定部１４によって決定された第２総駆動値、及び、総駆動閾値に基づいて、時間補正値を決定する。時間補正値は、各光源部の駆動値（駆動時間決定部１０によって決定された駆動値）を補正する補正値である。そして、時間補正値決定部１３は、時間補正値を駆動時間補正部１５へ通知する。時間補正値は、「駆動時間を補正する補正値」とも言える。本実施例では、第１総駆動値が総駆動閾値よりも大きい場合に、第１総駆動値を総駆動閾値以下に制限する時間補正値が決定される。換言すれば、第１総駆動時間が総駆動閾値時間よりも長い場合に、第１総駆動時間を総駆動閾値時間以下に制限する時間補正値が決定される。総駆動閾値時間は、総駆動閾値に対応する第１総駆動時間である。以下に、時間補正値決定部１３の処理の具体例を説明する。
【００５２】
光源部に供給される電流量ＩＷ（ｘ，ｙ）は、以下の式４で表せる。式４において、「Ｉｗ」は、光源部に供給される電流量の時間平均である。「光源部に供給される電流量の時間平均」は、例えば、「１フレームの期間において光源部が点灯し続ける場合において当該期間に光源部に供給される電流量の時間平均」である。
ＩＷ（ｘ，ｙ）＝Ｉｗ×Ｄｒｗ（ｘ，ｙ）  ・・・（式４）
【００５３】
そして、各光源部に供給される電流量ＩＷ（ｘ，ｙ）の総和である総電流量ＳＷは、以下の式５で表せる。
ＳＷ＝ΣＩＷ（ｘ，ｙ）
＝Σ（Ｉｗ×Ｄｒｗ（ｘ，ｙ））
＝Ｉｗ×ΣＤｒｗ（ｘ，ｙ）
・・・（式５）
【００５４】
式５のΣＤｒｗ（ｘ，ｙ）は第１総駆動値である。そのため、総駆動閾値ΣＤｒｗ（ｘ，ｙ）ｍａｘは、以下の式６によって得ることができる。式６において、「ＳＷｍａｘ」は、総電流量の上限である。
ΣＤｒｗ（ｘ，ｙ）ｍａｘ＝ＳＷｍａｘ／Ｉｗ  ・・・（式６）
【００５５】
総電流量ＳＷｍａｘは、表示装置１に電力を供給する電源の性能、表示装置１（表示装置１の電源回路など）の性能、等に応じて決まる。そのため、「総駆動閾値ΣＤｒｗ（ｘ，ｙ）ｍａｘは上記性能などによって決まる」とも言える。
【００５６】
式６によれば、第１総駆動値の上限が総駆動閾値として得られる。しかしながら、第１総駆動値の上限とは異なる値が総駆動閾値として使用されてもよい。例えば、第１総駆動時間の上限よりも小さい値が総駆動閾値として使用されてもよい。
【００５７】
本実施例では、時間補正値決定部１３は、以下の式７を用いて、時間補正値Ｄを算出する。具体的には、時間補正値決定部１３は、第１総駆動値Ａから第２総駆動値Ｂを減算することにより第１差分値を算出し、総駆動閾値Ｃから第２総駆動値Ｂを減算することにより第２差分値を算出する。そして、時間補正値決定部１３は、第２差分値を第１差分値で除算することにより時間補正値Ｄを算出する。第１差分値は、第１総駆動時間から第２総駆動時間を減算して得られる第１差分時間に対応し、第２差分値は、総駆動閾値時間から
第２総駆動時間を減算して得られる第２差分時間に対応する。総駆動閾値時間が６００００である場合には、図４（Ｂ）の駆動値から、時間補正値Ｄ＝（６００００−４４）／（１３１１１６−４４）＝０．４５７が得られる。
Ｄ＝（Ｃ−Ｂ）／（Ａ−Ｂ）  ・・・（式７）
【００５８】
なお、式７によって得られる値よりも小さい値が、時間補正値Ｄとして決定されてもよい。式７によれば、駆動値に乗算されるゲイン値が時間補正値Ｄとして得られる。しかしながら、時間補正値Ｄはゲイン値に限られない。時間補正値Ｄとして、駆動値に加算されるオフセット値が決定されてもよい。
【００５９】
駆動時間補正部１５は、各光源部の駆動値（駆動時間決定部１０によって決定された駆動値）に基づいて、第１総駆動時間決定部１１によって決定された第１総駆動値が総駆動閾値よりも大きい場合に、各光源部の駆動値を補正する。「第１総駆動時間決定部１１によって決定された第１総駆動値が総駆動閾値よりも大きい場合」は、「第１総駆動時間決定部１１によって決定された第１総駆動値に対応する第１総駆動時間が総駆動閾値時間よりも長い場合」とも言える。そして、駆動時間補正部１５は、補正後の各駆動値をバックライトユニット３へ出力する。それにより、バックライトユニット３の各光源部は、補正後の駆動値に応じた発光を行う。
【００６０】
駆動時間補正部１５は、第１総駆動値が総駆動閾値以下となり、且つ、駆動閾値よりも大きい駆動値が駆動閾値以下とならないように、各光源部の駆動値を補正する。即ち、駆動時間補正部１５は、第１総駆動時間が総駆動閾値時間以下となり、且つ、駆動閾値時間よりも長い駆動時間が駆動閾値時間以下とならないように、各光源部の駆動値を補正する。駆動閾値時間は、駆動閾値に対応する駆動時間である。
【００６１】
本実施例では、駆動閾値は、１フレームの期間において光源部が消灯し続ける状態に対応する０である。なお、駆動閾値は０より大きくてもよい。例えば、１フレームの期間において光源部が短時間で点灯する状態に対応する駆動値が、駆動閾値として使用されてもよい。
【００６２】
本実施例では、駆動時間補正部１５は、短駆動光源部の駆動値を補正せずに、非短駆動光源部（短駆動光源部以外の光源部）の駆動値を補正する。駆動時間補正部１５は、短駆動光源検出部１２の処理結果（光源部の検出結果）から、短駆動光源部と非短駆動光源部を把握する。非短駆動光源部は、「短駆動閾値時間よりも長い駆動時間に対応する駆動値が駆動時間決定部１０によって決定された光源部」とも言える。例えば、駆動時間補正部１５は、第１差分値が第２差分値以下となるように、非短駆動光源部の駆動値を補正する。即ち、駆動時間補正部１５は、第１差分時間が第２差分時間以下となるように、非短駆動光源部の駆動値を補正する。
【００６３】
具体的には、駆動時間補正部１５は、非短駆動光源部の駆動値に時間補正値を乗算する。補正前の駆動値が図４（Ｂ）の駆動値であり、且つ、時間補正値が０．４５７である場合には、補正後の駆動値として、図５の駆動値が得られる。この処理により、第１総駆動値を総駆動閾値以下に制限することができる。そして、駆動閾値よりも大きい駆動値が駆動閾値以下となることを抑制できる。その結果、電力を効率よく利用して好適な画質の画像を表示することができる。例えば、点灯させるべき光源部が消灯することを抑制することができ、黒潰れが抑制された画像を表示することができる。
【００６４】
ＢＬ輝度検出部１６は、バックライトユニット３から発せられた光の輝度（輝度分布；
各光源部の発光輝度）を検出する輝度センサである。ＢＬ輝度検出部１６は、バックライトユニット３から発せられた光の輝度の検出結果を、第２補正値決定部１７へ通知する。ＢＬ輝度検出部１６の輝度検出は、各光源部の発光効率の変化を検出するために行われる。そのため、ＢＬ輝度検出部１６の輝度検出は、各光源部の駆動条件（駆動時間）が同じ状態で行われる。なお、所定の駆動時間に対応する輝度を検出することができれば、輝度検出の方法は特に限定されない。例えば、輝度の検出値として時間積分された値が得られ、得られた検出値から単位時間に対応する輝度が得られてもよい。
【００６５】
第２補正値決定部１７は、ＢＬ輝度検出部１６からの検出結果に基づいて第２補正値を決定し、決定した第２補正値を駆動時間決定部１０へ通知する。例えば、第２補正値決定部１７は、基準の発光効率に対応する輝度（初期輝度）の値を予め記憶している。そして、第２補正値決定部１７は、検出された輝度を初期輝度と比較し、比較結果に基づいて、検出された輝度が初期輝度へ近づけられるように駆動時間を補正する第２補正値を決定する。具体的には、検出された輝度が初期輝度に比べ５［％］だけ低い場合には、駆動時間を５［％］だけ伸ばす第２補正値が決定される。
【００６６】
以上述べたように、本実施例によれば、各光源部の駆動値に基づいて、第１総駆動時間が総駆動閾値時間よりも長い場合に、第１総駆動時間が総駆動閾値時間以下となるように、各光源部の駆動値が補正される。それにより、電力を効率よく利用して画像を表示することができる。例えば、第１総駆動時間が総駆動閾値時間よりも長い場合に、第１総駆動時間が総駆動閾値時間と略一致するように、各光源部の駆動値が補正される（「略」は「完全」を含む）。それにより、電力を最大限に利用して画像を表示することができる。さらに、本実施例によれば、駆動閾値時間よりも長い駆動時間が駆動閾値時間以下とならないように、各光源部の駆動値が補正される。それにより、好適な画質の画像を表示することができる。例えば、０［ｍｓｅｃ］よりも長い駆動時間が０［ｍｓｅｃ］以下とならないように、各光源部の駆動値が補正される。それにより、点灯させるべき光源部が消灯することを抑制することができ、黒潰れが抑制された画像を表示することができる。
【００６７】
なお、白色の光を発する発光素子を光源部が有する例を説明したが、光源部の構成はこれに限られない。例えば、発光色が互いに異なる複数の発光素子を光源部が有していてもよい。具体的には、赤色の光を発する発光素子、緑色の光を発する発光素子、及び、青色の光を発する発光素子を光源部が有していてもよい。光源部の発光色は白色でなくてもよい。
【００６８】
複数の光源部が２つ以上の部分発光部に区分されており、２つ以上の部分発光部にそれぞれ対応する２つ以上の電源（および２つ以上の電源回路）が使用されることがある。各部分発光部は１つ以上の光源部を含む。例えば、画面サイズが大きい場合などにおいて、複数の部分発光部にそれぞれ対応する複数の電源が使用されることがある。具体的には、画面の領域を構成する複数の部分領域として、複数の部分発光部にそれぞれ対応する複数の領域が予め設定され、複数の部分領域にそれぞれ対応する複数の電源が使用されることがある。複数の部分領域として、例えば、上下に並んだ２つの領域、左右に並んだ２つの領域、２行２列で並んだ４つの領域、等が設定される。その場合には、各部分発光部について時間補正値が個別に決定され、複数の部分発光部にそれぞれ対応する複数の時間補正値から、各駆動値の補正に使用する時間補正値が決定されればよい。例えば、複数の部分発光部にそれぞれ対応する複数の時間補正値の最小値が、各駆動値の補正に使用する時間補正値として選択されればよい。
【００６９】
短駆動閾値、総駆動閾値、及び、駆動閾値のそれぞれは、特に限定されない。例えば、短駆動閾値、総駆動閾値、及び、駆動閾値のそれぞれは、メーカによって予め定められた値であってもよいし、ユーザによって指定された値であってもよいし、表示装置１によっ
て自動で決定された値であってもよい。同様に、短駆動閾値時間、総駆動閾値時間、及び、駆動閾値時間のそれぞれも、特に限定されない。短駆動閾値時間、総駆動閾値時間、及び、駆動閾値時間の大小関係は、「総駆動閾値時間＞短駆動閾値時間＞駆動閾値時間」である。
【００７０】
短駆動閾値時間は、第１総駆動時間と総駆動閾値時間とに基づいて決定されて使用されてもよい。具体的には、第１総駆動時間を総駆動閾値時間で除算して得られる時間が、短駆動閾値時間として決定されて使用されてもよい。即ち、第１総駆動値を総駆動閾値で除算して得られる値が、短駆動閾値として決定されて使用されてもよい。第１総駆動値が１３１１１６であり且つ総駆動閾値が６００００である場合には、１３１１１６を６００００で除算することにより、２．１８が得られる。そして、２．１８の小数点以下を切り上げた値である３が、短駆動閾値として決定される。このように決定された短駆動閾値を用いることにより、駆動閾値時間よりも長い駆動時間が駆動閾値時間以下となることを抑制することができる。図１に示す複数の機能部のいずれかが短駆動閾値（短駆動閾値時間）を決定してもよいし、表示装置１が、短駆動閾値を決定する不図示の機能部をさらに有していてもよい。
【００７１】
短駆動光源部の駆動値を補正せずに、非短駆動光源部の駆動値を補正する例を説明したが、最終的な駆動値の決定方法はこれに限られない。例えば、駆動時間決定部１０は、補正後の駆動値に対応する駆動時間が駆動閾値時間よりも長くなるように、各光源部の駆動値を決定してもよい。即ち、駆動時間決定部１０は、補正後の駆動値が駆動閾値よりも長くなるように、各光源部の駆動値を決定してもよい。そして、全ての光源部を非短駆動光源部として扱って、各光源部の駆動値が補正されてもよい。
【００７２】
駆動時間決定部１０は、第１総駆動時間の最大時間と総駆動閾値時間とに基づく時間を駆動時間の下限として用いて、各光源部の駆動値を決定してもよい。具体的には、駆動時間決定部１０は、第１総駆動時間の最大時間を総駆動閾値時間で除算して得られる時間を駆動時間の下限として用いて、各光源部の駆動値を決定してもよい。即ち、駆動時間決定部１０は、第１総駆動値の最大値を総駆動閾値で除算して得られる値を駆動値の下限として用いて、各光源部の駆動値を決定してもよい。第１総駆動時間の最大時間は、入力画像データの各階調値が上限である場合における制限前の第１総駆動時間であり、第１総駆動値の最大値は、第１総駆動時間の最大時間に対応する。第１総駆動値の最大値が２４００００であり且つ総駆動閾値が６００００である場合には、２４００００を６００００で除算することにより、補正前の駆動値の下限として４が得られる。このように決定された下限（補正前の駆動値の下限）を用いることにより、駆動時間決定部１０において、補正後の駆動値が駆動閾値よりも長くなるように、各光源部の駆動値を決定することができる。図１に示す複数の機能部のいずれかが下限（補正前の駆動値の下限；補正前の駆動値に対応する駆動時間の下限）を決定してもよいし、表示装置１が、下限を決定する不図示の機能部をさらに有していてもよ
【００７３】
＜実施例２＞
以下、本発明の実施例２について説明する。実施例１では、短駆動光源部の駆動値を補正しない例を説明した。しかしながら、短駆動光源部の駆動値を補正しない場合には、短駆動光源部に対応する分割領域などにおいて、若干の黒浮きが発生することがある。複数の光源部の間における駆動時間の分布によっては、少なくとも一部の短駆動光源部の駆動値が補正されても、好適な画質の画像を表示することができる。例えば、短駆動光源部に対応する分割領域へ漏れくる光の光量が或る程度多い場合には、当該短駆動光源部の駆動値が補正されても、好適な画質の画像を表示することができる。具体的には、上記短駆動光源部が駆動値の補正によって消灯しても、周辺の光源部から発せられた光により、表示画像（画面に表示された画像）の黒潰れが抑制される。そこで、本実施例では、所定の条
件を満たす短駆動光源部の駆動時間が駆動閾値時間以下となることを許容することにより、より好適な画質（黒浮きなどが抑制された画質）の画像を表示することができる例を説明する。なお、以下では、実施例１と異なる点（構成、処理、等）について詳しく説明し、実施例１と同じ点についての説明は省略する。
【００７４】
図６は、本実施例に係る表示装置２０の構成例を示すブロック図である。図６において、図１と同じ機能部には、図１と同じ符号が付されている。表示装置２０は、図１の複数の機能部と、駆動時間分布処理部１９とを有する。
【００７５】
駆動時間分布処理部１９は、各光源部の駆動値（駆動時間決定部１０によって決定された駆動値）の分布に基づく処理を行う。そして、駆動時間分布処理部１９は、処理結果を駆動時間補正部１５へ出力する。
【００７６】
まず、駆動時間分布処理部１９は、各光源部の駆動値に基づいて、複数の光源部から短駆動光源部を検出する。駆動時間決定部１０によって図７（Ａ）の駆動値が得られた場合には、駆動値が１である４５個の光源部のそれぞれが、短駆動光源部として検出される。
【００７７】
次に、駆動時間分布処理部１９は、駆動値が漏れ閾値以上である光源部が短駆動光源部の周辺に存在するか否かを判断する。即ち、駆動時間分布処理部１９は、駆動時間が漏れ閾値時間以上である光源部が短駆動光源部の周辺に存在するか否かを判断する。漏れ閾値時間は、漏れ閾値に対応する駆動時間である。そして、駆動時間分布処理部１９は、判断結果を、駆動時間補正部１５へ出力する。これらの処理が、全ての短駆動光源部について行われる。以後、駆動値が漏れ閾値以上である光源部が周辺に存在する短駆動光源部を「特定光源部」として記載する。
【００７８】
短駆動光源部である特定光源部の駆動値が補正されても、好適な画質の画像を表示することができる可能性が高い。短駆動光源部の周辺に存在する光源部は、例えば、短駆動光源部に隣接する光源部、短駆動光源部からの距離が閾値距離以下の光源部、等である。短駆動光源部の周辺に存在する複数の光源部は、短駆動光源部に隣接しない光源部を含んでいてもよい。
【００７９】
本実施例では、駆動時間補正部１５は、特定光源部の駆動時間が駆動閾値時間以下となることを許容して、各光源部の駆動値を補正する。具体的には、駆動時間補正部１５は、非短駆動光源部の駆動値と特定光源部の駆動値とに時間補正値を乗算する。駆動時間補正部１５は、特定光源部でない短駆動光源部の駆動値には時間補正値を乗算しない。駆動時間決定部１０によって図７（Ａ）の駆動値が得られ、且つ、上記４５個の短駆動光源部の全てが特定光源部として検出された場合には、補正後の駆動値として図７（Ｂ）の駆動値が得られる。
【００８０】
以上述べたように、本実施例によれば、特定光源部の駆動時間が駆動閾値時間以下となることが許容される。それにより、より好適な画質（黒浮きなどが抑制された画質）の画像を表示することができる。
【００８１】
なお、実施例１と同様の方法で時間補正値が決定される例を説明したが、時間補正値の決定方法はこれに限られない。例えば、特定光源部でない短駆動光源部の駆動値の総和を第２総駆動値として用いて時間補正値が決定されてもよい。
【００８２】
漏れ閾値は特に限定されない。例えば、漏れ閾値は、メーカによって予め定められた値であってもよいし、ユーザによって指定された値であってもよいし、表示装置１によって自動で決定された値であってもよい。同様に、漏れ閾値時間も特に限定されない。漏れ閾
値時間（漏れ閾値）は、光源部から発せられる光の拡散に基づいて決定されてもよい。例えば、光源部から発せられる光の拡散が大きい場合に、光源部から発せられる光の拡散が小さい場合の時間に比べ短い時間が、漏れ閾値時間として決定されてもよい。即ち、光源部から発せられる光が遠くまで拡散する場合に、そうでない場合の時間に比べ短い時間が、漏れ閾値時間として決定されてもよい。入射輝度推定部７によって推定された入射輝度に基づいて、漏れ閾値時間が決定されてもよい。図１に示す複数の機能部のいずれかが漏れ閾値（漏れ閾値時間）を決定してもよいし、表示装置１が、漏れ閾値を決定する不図示の機能部をさらに有していてもよい。
【００８３】
実施例１，２の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００８４】
実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【００８５】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８６】
１，２０：表示装置  ２：液晶パネル部  ３：バックライトユニット
１０：駆動時間決定部  １５：駆動時間補正部
【図１】
2018163184.tif 000003
【図２】
2018163184.tif 000004
【図３】
2018163184.tif 000005
【図４】
2018163184.tif 000006
【図５】
2018163184.tif 000007
【図６】
2018163184.tif 000008
【図７】
2018163184.tif 000009